(57)【要約】【課題】機能部の領域を広く確保することができる便座装置を提供する。【解決手段】便座装置は、便器の後部上方に設置される機能部１０と、便器の前部上方に設置される便座と、便座の上方に配置される便蓋と、該便蓋が前記便座を覆う閉姿勢から起立した開姿勢まで、左右方向を軸線方向として該軸線回りに、便蓋を回動させる回動機構６と、を備え、回動機構６は、便蓋に設けられ、機能部１０側に突出するとともに、金属材料で形成された係合部５６と、機能部１０に設けられ、係合部５６と係合して、便蓋を回動させる回動部材７０と、を有することを特徴とする。【選択図】図４
2020116116.tif 000002
【特許請求の範囲】
【請求項１】
便器の後部上方に設置される機能部と、
前記便器の前部上方に設置される便座と、
該便座の上方に配置される便蓋と、
該便蓋が前記便座を覆う閉姿勢から起立した開姿勢まで、左右方向を軸線方向として該軸線回りに、前記便蓋を回動させる回動機構と、を備え、
該回動機構は、
前記便蓋に設けられ、前記機能部側に突出するとともに、金属材料で形成された係合部と、
前記機能部に設けられ、前記係合部と係合して、前記便蓋を回動させる回動部材と、を有することを特徴とする便座装置。
【請求項２】
前記回動部材は、
前記係合部に係合され、前記軸線回りに回動可能であるとともに、金属材料で形成された回動部を有する請求項１に記載の便座装置。
【請求項３】
前記回動部材には、前記軸線方向と直交する方向に開口し、前記係合部が通過可能とされた開口部が形成されている請求項１または２に記載の便座装置。
【請求項４】
前記係合部には、前記軸線方向の一方側に凹む凹部が形成され、
前記回動部材は、前記軸線方向の一方側に付勢されるとともに前記凹部に係合されるボールプランジャーのボール部を有する請求項１から３のいずれか一項に記載の便座装置。
【請求項５】
前記便蓋には、
前記閉姿勢で、前記便座の上方に配置される蓋本体と、
該蓋本体の幅方向の両端部から前記閉姿勢における下方に延びる側壁部と、を備え、
前記蓋本体における前記閉姿勢での下面及び前記側壁部の内面には、金属製の補強部が設けられている請求項１から４のいずれか一項に記載の便座装置。
【請求項６】
便器の後部上方に設置される機能部と、
前記便器の前部上方に設置される便座と、
該便座の上方に配置される便蓋と、
該便蓋が前記便座を覆う閉姿勢から起立した開姿勢まで、左右方向を軸線方向として該軸線回りに、前記便蓋を回動させる回動機構と、を備え、
該回動機構は、
前記機能部に配置され、前記便蓋を回動させる回動部材を有することを特徴とする便座装置。
【発明の詳細な説明】
【技術分野】
【０００１】
本発明は、便座装置に関するものである。
【背景技術】
【０００２】
従来から、便蓋や便座が機能部に設けられた開閉機構により回動（開閉）可能に設けられた便座装置が知られている（例えば下記の特許文献１参照）。
【０００３】
下記の特許文献１では、機能部の開閉機構にヒンジピンが設けられ、便蓋に機能部側（便座装置の幅方向の内側）に向かって突出する基端部が設けられ、基端部内にはヒンジピンを保持して連動するヒンジピン保持部が設けられた便座装置が提案されている。
【先行技術文献】
【特許文献】
【０００４】
【特許文献１】特開２０１０−１６７１３５号公報
【発明の概要】
【発明が解決しようとする課題】
【０００５】
しかしながら、上記の特許文献１の便座装置では、便蓋に設けられた基端部はヒンジピンを保持するように機能部側に向かって突出しているため、機能部内のスペースが狭くなり、機能部内の各種装置に配置位置の制約が生じてしまうという問題点がある。
【０００６】
そこで、本発明は、上記事情に鑑みてなされたものであり、機能部の領域を広く確保することができる便座装置を提供する。
【課題を解決するための手段】
【０００７】
上記目的を達成するために、本発明は以下の手段を採用している。
すなわち、本発明に係る便座装置は、便器の後部上方に設置される機能部と、前記便器の前部上方に設置される便座と、該便座の上方に配置される便蓋と、該便蓋が前記便座を覆う閉姿勢から起立した開姿勢まで、左右方向を軸線方向として該軸線回りに、前記便蓋を回動させる回動機構と、を備え、該回動機構は、前記便蓋に設けられ、前記機能部側に突出するとともに、金属材料で形成された係合部と、前記機能部に設けられ、前記係合部と係合して、前記便蓋を回動させる回動部材と、を有することを特徴とする。
【０００８】
このように構成された便座装置では、便蓋を回動させる回動部材は、便蓋の係合部に係合している。係合部は金属製であり強度があるため、例えば係合部が樹脂製等に比べて大きさを小さくすることができる。よって、便蓋から機能部側に突出する係合部の突出量を小さくすることができるため、機能部の領域を大きく確保することができる。
【０００９】
また、本発明に係る便座装置では、前記回動部材は、前記係合部に係合され、前記軸線回りに回動可能であるとともに、金属材料で形成された回動部を有することが好ましい。
【００１０】
このように構成された便座装置では、軸線回りに回動可能な回動部は、便蓋の係合部に係合されている。回動部と係合部とが係合しつつ回動する際に負荷が生じても、回動部及び係合部はともに金属材料で形成されているため、回動部及び係合部は損傷することがない。また、金属製の回動部は強度があり、回動部の大きさを小さくすることができるため、機能部内に各種装置等の部材の配置する際に制限が少ない。
【００１１】
また、本発明に係る便座装置は、前記回動部材には、前記軸線方向と直交する方向に開口し、前記係合部が通過可能とされた開口部が形成されていてもよい。
【００１２】
このように構成された便座装置では、回動部材には軸線方向と直交する方向に開口する開口部が形成され、開口部には便蓋の係合部が通過可能とされている。よって、開口部に係合部を通過させて、便蓋を取り付け及び取り外しすることができる。
【００１３】
また、本発明に係る便座装置は、前記係合部には、前記軸線方向の一方側に凹む凹部が形成され、前記回動部材は、前記軸線方向の一方側に付勢されるとともに前記凹部に係合されるボールプランジャーのボール部を有していてもよい。
【００１４】
このように構成された便座装置では、係合部に形成された凹部にボール部を係合させるボールプランジャーにより、便蓋を回動部材に確実に係合させることができる。
【００１５】
また、本発明に係る便座装置は、前記便蓋には、前記閉姿勢で、前記便座の上方に配置される蓋本体と、該蓋本体の幅方向の両端部から前記閉姿勢における下方に延びる側壁部と、を備え、前記蓋本体における前記閉姿勢での下面及び前記側壁部の内面には、金属製の補強部が設けられていてもよい。
【００１６】
このように構成された便座装置では、蓋本体における閉姿勢での下面及び側壁部の内面には、金属製の補強部が設けられている。よって、外力による便蓋の変形を抑制することができる。
【００１７】
また、本発明に係る便座装置は、便器の後部上方に設置される機能部と、前記便器の前部上方に設置される便座と、該便座の上方に配置される便蓋と、該便蓋が前記便座を覆う閉姿勢から起立した開姿勢まで、左右方向を軸線方向として該軸線回りに、前記便蓋を回動させる回動機構と、を備え、該回動機構は、前記機能部に配置され、前記便蓋を回動させる回動部材を有することを特徴とする。
【００１８】
このように構成された便座装置では、便蓋を回動させる回動部材は、機能部に配置されている。よって、回動部材が便蓋側に配置されている場合よりも、便蓋との接続部分の厚み（左右方向の幅）を小さくして、コンパクトなデザインとすることができる。
【発明の効果】
【００１９】
本発明に係る便座装置によれば、機能部の領域を広く確保することができる。
【図面の簡単な説明】
【００２０】
【図１】本発明の一実施形態に係る便座装置を備えた便器装置を示す斜視図である。
【図２】本発明の一実施形態に係る便座装置の便蓋を上下反転させた斜視図である。
【図３】本発明の一実施形態に係る便座装置の回動部材（便蓋の閉位置）を示す図である。
【図４】本発明の一実施形態に係る便座装置の回動機構を示す断面図であり、左右方向及び上下方向に沿う断面図である。
【図５】本発明の一実施形態に係る便座装置の回動機構を示す断面図であり、左右方向及び上下方向に沿う断面図である。
【図６】本発明の一実施形態に係る便座装置の回動部材（便蓋の開位置）を示す図である。
【発明を実施するための形態】
【００２１】
本発明の一実施形態に係る便座装置を備えた便器装置について、図面を用いて説明する。
図１は、本発明の一実施形態に係る便座装置を備えた便器装置を示す斜視図である。
図１に示すように、便器装置１００は、下方に凹む開口部（不図示。以下同じ。）が設けられた便器１１と、便器１１に設置された便座装置１２と、を備えている。
【００２２】
なお、下記の説明において、利用者が便座装置１２の便座３に着座した状態で前方を向く方向を「前方」とし、反対側を「後方」とし、これらを結ぶ方向を前後方向とする。また、便座３に着座した利用者から見て左側を「左側」とし、右側を「右側」とし、これらを結ぶ方向を左右方向（または幅方向）とする。
【００２３】
便座装置１２は、便器１１の後部上方に設置された本体部１と、本体部１に開閉（回動）可能に設けられた便座３及び便蓋４と、便蓋４を回動させる便蓋回動機構（回動機構）６（図４参照。以下同じ。）と、を備えている。
【００２４】
本体部１は、各種機能を有する機能部１０と、機能部１０を収容するカバー２０と、を有している。
【００２５】
機能部１０は、便器１１の後部に設置されている。機能部１０は、便器１１の上部に設けられたベース部（不図示）上等に配置されている。
【００２６】
機能部１０とは、便蓋４を回動させる後述する便蓋回動ユニット６０（図４参照。以下同じ。）及び便蓋回動部材７０（図４参照。以下同じ。）と、便座３を回動させるための不図示の便座回動ユニット、局部洗浄装置、脱臭装置などの各種機能装置および各種機能部品、これらの各種機能装置および各種機能部品を制御する制御部、これらの各種機能装置および各種機能部品に電源を供給する電源部などを示している。
【００２７】
カバー２０は、機能部１０を覆う上部カバー２１と、便器１１の後方に配置された下部カバー２９と、を有している。
【００２８】
上部カバー２１は、機能部１０の上方に配置された上面パネル部２２と、機能部１０の左右両側方に配置された側面パネル部２３と、機能部１０の後方に配置された後面パネル部２４と、を有している。
【００２９】
便座３は、便器１１の前部上方に設置されている。便座３は、便座回動ユニットより、回動自在とされている。便座３は便器１１の上部に沿う着座姿勢から、着座姿勢での前部側を上方に向けた起立姿勢まで回動自在とされている。
【００３０】
便蓋４は、後述する便蓋回動機構６により回動自在とされている。便蓋４は、便座３を覆う閉姿勢から、閉姿勢での前部側を上方に向けた開姿勢まで回動自在とされている。
【００３１】
図２は、便蓋４を上下反転させた斜視図である。
図１及び図２に示すように、便蓋４は、閉姿勢で、便座３（図１参照。以下同じ。）の上方に配置される蓋本体４１と、蓋本体４１の外縁から下方に延びる周壁部４２と、を有している。蓋本体４１及び周壁部４２は、一体として形成されている。本実施形態では、便蓋４は、樹脂製である。
【００３２】
なお、便蓋４及び便蓋４に設けられた後述する補強板５に関する説明において、前後方向及び上下方向等は、便蓋４が閉姿勢にある場合を基準として述べることとする。
【００３３】
蓋本体４１は、板状に形成されている。蓋本体４１は、板厚方向を上下方向に向けて配置されている。蓋本体４１の下部には、閉姿勢で便座３に当接可能な下向き凸部４１ａが複数設けられている。
【００３４】
周壁部４２は、蓋本体４１の前部から下方に延びる前壁部４３と、蓋本体４１の左右両端部からそれぞれ下方に延びている側壁部４４とを有している。前壁部４３及び側壁部４４は、一体として形成されている。
【００３５】
一対の側壁部４４は、左右方向に対向配置されている。側壁部４４は、板状に形成されている。側壁部４４は、板厚方向を左右方向に向けて配置されている。
【００３６】
側壁部４４には、後方に向かって突出する腕部４４ａが設けられている。腕部４４ａは、蓋本体４１の後端部よりも後方に突出している。
【００３７】
蓋本体４１及び側壁部４４の後部には、補強板（補強部）５が設けられている。補強板５は、金属材料で形成されている。補強板５は、補強本体部５１と、補強側壁部５２と、を有している。
【００３８】
補強本体部５１は、蓋本体４１の下面４１ｄに沿って配置されている。補強本体部５１は、板状に形成されている。補強本体は、板厚方向を上下方向に向けて配置されている。
【００３９】
補強側壁部５２は、補強本体部５１の左右両端部からそれぞれ下方に延びている。補強側壁部５２は、各側壁部４４における対向する側壁部４４側を向く内面（幅方向の内側を向く面）４４ｉに沿って配置される。補強側壁部５２は、板状に形成されている。補強側壁部５２は、板厚方向を左右方向に向けて配置されている。
【００４０】
図３は、便蓋回動部材７０を示す図であり、右側方から見た図である。図４は、便蓋回動機構６を示す断面図であり、左右方向及び上下方向に沿う断面図である。なお、図３及び図４において、便蓋４が閉姿勢にある場合を示している。図３では、便蓋４及び補強板５の図示を省略している。図４では、便蓋４及び上部カバー２１の図示を省略している。
図４に示すように、便蓋回動機構６は、便蓋回動ユニット６０と、便蓋回動部材（回動部材）７０と、係合部５６と、を備えている。
【００４１】
便蓋回動ユニット６０は、機能部１０の一部であり、他の機能部１０と同様にカバー２０（図１参照。以下同じ。）内に配置されている。本実施形態では、便蓋回動ユニット６０は、機能部１０の右側に配置されている。
【００４２】
便蓋回動ユニット６０は、駆動モータ（不図示。以下同じ。）の駆動力に基づいて駆動軸部６１を左右方向を軸線方向として軸線回りに回動駆動する駆動機構である。駆動軸部６１は、駆動モータから右側（幅方向の外側）に延びている。
【００４３】
図５は、便蓋回動機構６を示す断面図であり、ボール部を通る断面図であり、左右方向及び上下方向に沿う断面図である。なお、図５において、便蓋４が閉姿勢にある場合を示していて、便蓋４及び上部カバー２１の図示を省略している。
図４及び図５に示すように、駆動軸部６１は、便蓋回動部材７０に嵌合されている。
【００４４】
便蓋回動部材７０は、ケース部７００と、第一回動体７１０と、第二回動体（回動部）７２０と、ボール軸（ボール部）７３０（図５参照。以下同じ。）と、を有している。本実施形態では、ケース部７００は、樹脂材料で形成されている。第一回動体７１０、第二回動体７２０及びボール軸７３０は、金属材料で形成されている。
【００４５】
便蓋回動部材７０は、機能部１０の一部であり、他の機能部１０と同様にカバー２０内に配置されている。本実施形態では、便蓋回動部材７０は、機能部１０の右側に配置されている。
【００４６】
ケース部７００は、左右方向を軸線方向として略円筒状に形成されている。図３に示すように、ケース部７００の右端部には、周方向に切り欠かれた切り欠き部７０１が形成されている。便蓋４の閉姿勢で、切り欠き部７０１は、ケース部７００の前部に配置されている。
【００４７】
ケース部７００の右端部には、右側方から見て円弧状をなすケース部７００の内側に向かってのびる係止壁部７０２が複数設けられている。便蓋４の閉姿勢で、係止壁部７０２は上部に１箇所、下部に２箇所に配置されている。
【００４８】
図４及び図５に示すように、第一回動体７１０には、ケース部７００の内部に嵌合されている。第一回動体７１０は、ケース部７００の内部において左側に配置されている。
【００４９】
第一回動体７１０は、左右方向を軸線方向とする略円柱状に形成されている。第一回動体７１０の外周形状は、ケース部７００の内周形状よりも僅かに小さい。
【００５０】
図４に示すように、第一回動体７１０の左端面には、右側に凹む軸嵌合凹部７１１が形成されている。軸嵌合凹部７１１は、左側方から見て円形状をなす第一回動体７１０の中心に形成されている。軸嵌合凹部７１１に、便蓋回動ユニット６０の駆動軸部６１が嵌合されている。
【００５１】
図５に示すように、第一回動体７１０の右端部には、外周面から内側に向かって凹む係止凹部７１４が形成されている。係止凹部７１４には、ケース部７００の係止壁部７０２が係止されている。
【００５２】
第一回動体７１０には、左右方向に貫通するボール軸孔７１２及び螺子孔（不図示。以下同じ。）が形成されている。
【００５３】
図４及び図５に示すように、第二回動体７２０は、ケース部７００の内部に嵌合されている。第二回動体７２０は、ケース部７００の内部で第一回動体７１０の右側方に配置されている。
【００５４】
第二回動体７２０は、左右方向を軸線方向とする略円柱状に形成されている。第二回動体７２０の外周形状は、ケース部７００の内周形状よりも僅かに小さい。
【００５５】
図３に示すように、第二回動体７２０には、左右方向に貫通するスリット７２１が形成されている。右側方から見て、スリット７２１は略直線状をなしている。便蓋４の閉姿勢で、スリット７２１は、前方に向かうにしたがって次第に下方に向かうように延びている。
【００５６】
直線状をなすスリット７２１の一端部（便蓋４の閉姿勢で前端部）には、スリット幅が広くなった幅広部７２２が形成されている。
【００５７】
図４に示すように、便蓋４の閉姿勢で、第二回動体７２０の前端部には、後方に向かって凹む挿入部７２３が形成されている。便蓋４の閉姿勢で、挿入部７２３の前部には、前方（左右方向と直交する方向）に向かって開口する開口部７２４（図３参照。以下同じ。）が形成されている。
【００５８】
挿入部７２３は、第二回動体７２０の左端面まで到達するとともに、スリット７２１と連通するように形成されている。
【００５９】
図３に示すように、第二回動体７２０の外周面には、右側方から見て円形状をなす第二回動体７２０の内側に向かって凹む係止凹部７２５が形成されている。係止凹部７２５には、ケース部７００の係止壁部７０２が係止されている。
【００６０】
第二回動体７２０には、左右方向に貫通する螺子孔７２８が形成されている。螺子孔７２８から挿通された螺子７２９は、第一回動体７１０の螺子孔に螺合されている。
【００６１】
図５に示すように、ボール軸７３０は、左右方向を軸線方向として延びている。ボール軸７３０の先端部（右端部）７３１は、尖った形状をなしている。ボール軸７３０は、不図示の付勢部により右側に付勢されている。
【００６２】
図３に示すように、カバー２０の側面パネル部２３（図１参照。）の内方（幅方向の内側）には、内側パネル部２６が設けられている。内側パネル部２６には、右側方に向かって突出する環状部２７が形成されている。便蓋回動部材７０は、カバー２０の環状部２７内に嵌合されている。
【００６３】
環状部２７は、右側方から見て略円弧状をなしている。環状部２７の上部には、周方向に切り欠かれた切り欠き部２８が形成されている。
【００６４】
図２に示すように、係合部５６は、便蓋４の補強板５の左右の補強側壁部５２に設けられている。係合部５６は、便蓋４の腕部４４ａの左右方向の中央側に配置されている。換言すると、側面視で、係合部５６は、便蓋４の腕部４４ａと重なって配置されている。
【００６５】
図４に示すように、係合部５６は、内向き壁部５７と、係合壁部５８と、を有している。係合部５６は、補強板５と同様に、金属材料で形成されている。
【００６６】
内向き壁部５７は、補強側壁部５２から、便座装置１２の幅方向の内側（機能部１０側）に突出している。
【００６７】
係合壁部５８は、内向き壁部５７の端部（便座装置１２の幅方向の内側の端部）から折曲されている。便蓋４の閉姿勢で、係合壁部５８は、内向き壁部５７から下方に向かって延びている。
【００６８】
係合部５６の内向き壁部５７は、第二回動体７２０のスリット７２１に配置されている。係合部５６の係合壁部５８は、第二回動体７２０の挿入部７２３に配置されている。これにより、係合部５６は、第二回動体７２０のスリット７２１及び挿入部７２３に係合されている。係合部５６は、第二回動体７２０の開口部７２４（図３参照。以下同じ。）を通過して、スリット７２１及び挿入部７２３内に挿入及び取り出し可能とされている。
【００６９】
図５に示すように、係合部５６の係合壁部５８には、便座装置１２の幅方向の内側を向く内面から反対側の外面側に向かって凹む係合孔（凹部）５８ｈが形成されている。本実施形態では、係合孔５８ｈは、係合壁部５８を左右方向に貫通する貫通孔である。
【００７０】
係合孔５８ｈは、左右側方から見て円形状をなしている。係合孔５８ｈは、係合壁部５８における便座装置１２の幅方向の内側を向く内面側から外面側に向かうにしたがって次第に直径が小さくなるように形成されている。
【００７１】
便蓋回動部材７０のボール軸７３０の先端部７３１は、補強板５の係合部５６の係合孔５８ｈに係合されている。本実施形態では、ボール軸７３０及び係合孔５８ｈがボールプランジャー７４０を構成している。
【００７２】
なお、図３では、便座装置１２の右側のみを示しているが、便座装置１２の左側には不図示の支持軸部が設けられている。便座装置１２の右側と同様に、支持軸部は便蓋回動部材７０に嵌合され、便蓋回動部材７０は便蓋４の係合部５６に係合されている。
【００７３】
駆動モータの駆動力により駆動軸部６１を回動駆動することで、駆動軸部６１に嵌合された便蓋回動部材７０及び便蓋回動部材７０に係合された便蓋４は、カバー２０に対して回動（開閉）可能である。
【００７４】
図３に示すように、便蓋４の閉姿勢で、第二回動体７２０の開口部７２４は前方を向いていて、開口部７２４の前方にはカバー２０の環状部２７が配置されている。これにより、便蓋４の係合部５６は、カバー２０の環状部２７と干渉して、便蓋回動部材７０のスリット７２１及び挿入部７２３から取り外されない。
【００７５】
図６は、便蓋回動部材７０を示す図であり、右側方から見た図である。なお、図６では、便蓋４が開姿勢にある場合を示し、便蓋４及び補強板５の図示を省略している。
図６に示すように、便蓋４の開姿勢で、第二回動体７２０の開口部７２４は上方を向いていて、開口部７２４の上方にはカバー２０の環状部２７の切り欠き部２８が配置されている（環状部２７が配置されていない）。これにより、便蓋４の係合部５６（図１参照。以下同じ。）を、便蓋回動部材７０のスリット７２１及び挿入部７２３（図４参照。以下同じ。）から取り外して、開口部７２４及びカバー２０の切り欠き部２８を通過させて、便蓋４を本体部１から取り外すことが可能である。また、便蓋回動部材７０が当該位置にある場合には、便蓋４の係合部５６をカバー２０の切り欠き部２８及び便蓋回動部材７０の開口部７２４を通過させて、便蓋回動部材７０のスリット７２１及び挿入部７２３に挿入して、便蓋４を本体部１に装着することができる。
【００７６】
このように構成された便器装置１００では、便蓋４を回動させる便蓋回動部材７０は、便蓋４の係合部５６に係合している。係合部５６は金属製であり強度があるため、例えば係合部５６が樹脂製等に比べて大きさを小さくすることができる。よって、便蓋４から機能部１０側に突出する係合部５６の突出量を小さくすることができるため、機能部１０の領域を大きく確保することができる。
【００７７】
また、係合部５６は金属製であり強度があるため、便蓋４の側壁部４４を薄くして、便蓋４の閉姿勢で上方から見たデザイン性を向上させることができる。
【００７８】
また、左右方向を軸線方向として軸線回りに回動可能な第二回動体７２０は、便蓋４の係合部５６に係合されている。第二回動体７２０と係合部５６とが係合しつつ回動する負荷が作用しても、第二回動体７２０及び係合部５６は金属材料で形成されているため、第二回動体７２０及び係合部５６が損傷することがない。
【００７９】
また、金属製の第一回動体７１０及び第二回動体７２０は強度があり、第一回動体７１０及び第二回動体７２０の大きさを小さくすることができるため、機能部１０内に各種装置等の部材を配置する際に制限が少ない。
【００８０】
また、便蓋回動部材７０には左右方向（軸線方向）と直交する方向に開口する開口部７２４が形成され、開口部７２４には便蓋４の係合部５６が通過可能とされている。よって、便蓋４と軸線方向と直交する方向、本実施形態では上方から下方に移動させて、便蓋４の係合部５６を便蓋回動部材７０の開口部７２４に通過させて、便蓋４を本体部１に取り付けることができる。また、便蓋４を上方に引き上げて、係合部５６に形成された係合孔５８ｈとボール軸７３０との係合を解除して、便蓋４を取り外すことができる。
【００８１】
また、係合部５６に形成された係合孔５８ｈにボール軸７３０を係合させるボールプランジャー７４０により、便蓋４を便蓋回動部材７０に確実に係合させることができる。
【００８２】
また、便蓋４を本体部１に装着する際には、便蓋回動部材７０のボール軸７３０が便蓋４の補強板５の係合孔５８ｈに係合されている。ボール軸７３０は付勢部により付勢されていて、ボール軸７３０が係合孔５８ｈに係合する際には音がしたり、作業者が手ごたえを感じたりするため、便蓋４が本体部１に装着されたことが分かりやすい。
【００８３】
また、蓋本体４１における閉姿勢での下面及び側壁部４４の内面には、金属製の補強板５が設けられている。よって、外力による便蓋４の変形を抑制することができる。
【００８４】
また、便蓋４の開姿勢で、便蓋４を持ち上げると、便蓋回動部材７０のボール軸７３０の先端部７３１と便蓋４の補強板５の係合孔５８ｈとの係合が解除され、便蓋４が本体部１から取り外される。よって、便蓋４が取り外されない場合には、便蓋４と係合している便蓋回動部材７０に負荷が生じるが、便器装置１００では便蓋４が取り外されるためそのようなことがない。
【００８５】
また、便蓋４を回動させる便蓋回動部材７０は、機能部１０に配置されている。よって、従来のように回動部材が機能部から左右側方に突出して便蓋側に延びている場合よりも、本実施形態では、機能部１０との接続部分である腕部４４ａの厚み（左右方向の幅）ｔ１（図１参照）を小さくして、コンパクトなデザインとすることができる。
【００８６】
なお、本発明に係る便器装置１００は、上述した実施形態に限定されるものではなく、本発明の要旨を逸脱しない範囲で適宜の変更や置換等が可能である。
【００８７】
例えば、上記に示す実施形態では、係合部５６及び第二回動体７２０ともに金属材料で形成されているが、本発明はこれに限られない。少なくとも便蓋に設けられた係合部が、金属材料で形成されていればよい。
【００８８】
また、上記に示す実施形態では、便蓋４の係合部５６は第二回動体７２０の開口部７２４から取り出し及び挿入可能とされ、便蓋４は本体部１から取り外し可能とされているが、本発明はこれに限られない。便蓋４は取り外されることが好ましいが、取り外しができない構成であってもよい。
【００８９】
また、上記に示す実施形態では、ボールプランジャー機構により係合部５６はボール軸７３０に係合しているが、本発明はこれに限られず、回動機構に凹部等が設けられていて、便蓋の係合部が当該凹部に係合する構成であってもよい。
【００９０】
また、上記に示す実施形態では、便蓋４に補強板５が設けられているが、本発明はこれに限られない。補強板５が設けられずに、便蓋４の側壁部４４に金属製の係合部が直接設けられる構成であってもよい。
【符号の説明】
【００９１】
１…本体部
３…便座
４…便蓋
５…補強板（補強部）
６…便蓋回動機構（回動機構）
１０…機能部
１１…便器
１２…便座装置
２０…カバー
２１…上部カバー
２７…環状部
２８…切り欠き部
２９…下部カバー
４１…蓋本体
４４…側壁部
５１…補強本体部
５２…補強側壁部
５６…係合部
５７…内向き壁部
５８…係合壁部
５８ｈ…係合孔（凹部）
６０…便蓋回動ユニット
７０…便蓋回動部材（回動部材）
１００…便器装置
７００…ケース部
７０１…切り欠き部
７１０…第一回動体
７２０…第二回動体（回動部）
７２１…スリット
７２３…挿入部
７２４…開口部
７３０…ボール軸（ボール部）
７４０…ボールプランジャー
【図１】
2020116116.tif 000003
【図２】
2020116116.tif 000004
【図３】
2020116116.tif 000005
【図４】
2020116116.tif 000006
【図５】
2020116116.tif 000007
【図６】
2020116116.tif 000008